(57)【要約】      （修正有）【課題】標準のレンズを搭載したスマートグラスに簡単迅速に装着でき、装着した別のレンズにより、広範囲の画像が、または望遠などの画像あるいは接写画像を取得できるスマートグラス用レンズ切り替え装置を提供する。【解決手段】スマートグラスレンズ部を切り欠き部５を介して挟み込む第１本体取付体３と第２本体取付体４とを有し、第１本体取付体には、搭載レンズ８が、スマートグラスに標準装備されてなる標準レンズ取り付け位置に、第３本体取付体７を介して回転可能、かつ重ね合わせ可能に取り付けられ、標準レンズ使用時には、搭載レンズは退避可能とされ、搭載レンズ使用時には標準レンズの取り付け位置に重ねて配置でき、搭載レンズの仕様でレンズ使用する。【選択図】図１
0003229150.tif 000002
【実用新案登録請求の範囲】
【請求項１】
スマートグラスレンズ部を挟み込む第１本体取付体と第２本体取付体とを有し、
前記第１本体取付体には、搭載レンズが前記スマートグラスに標準装備されてなる標準レンズ取り付け位置に重ね合わせ可能にして取り付けられ、
前記標準レンズ使用時には、前記搭載レンズは退避可能とされ、前記搭載レンズ使用時には標準レンズの取り付け位置に重ねて配置でき、前記搭載レンズの仕様でレンズ使用する、
ことを特徴とするスマートグラス用レンズ切り替え装置。
【請求項２】
前記搭載レンズは、広角レンズ、魚眼レンズ、接写レンズである、
ことを特徴とする請求項１記載のスマートグラス用レンズ切り替え装置。
【考案の詳細な説明】
【技術分野】
【０００１】
本考案は、例えば、メガネタイプのスマートグラスのレンズ部に取り付けられた標準レンズから例えば魚眼レンズや広角レンズに切り替えて使用することができるスマートグラス用レンズ切り替え装置に関するものである。
【背景技術】
【０００２】
近年ＡＲ／ＶＲデバイスチップセットを搭載した、産業向けスマートグラスが提案されている。いわゆるスマートグラスは、それを使用しての遠隔作業支援や倉庫・空港での荷物搬入といった場面での使用が多く求められている。
【０００３】
しかしながら、従来のスマートグラスは、標準装備の光学レンズしか搭載されておらず、作業状況また作業個所によっては、より広範囲の画像あるいは拡大した画像の表示が必要となるケースに対応できるものではなかった。
【０００４】
そこで近年では簡易な構造からなるスマートグラス用レンズ切り替え装置で、しかも簡単、迅速に取り付けることができ、かつコストも安価なマートグラス用レンズ切り替え装置の提案が要望されていた。
【先行技術文献】
【特許文献】
【０００５】
【特許文献１】特開２０１９−８０１４５号公報
【考案の概要】
【考案が解決しようとする課題】
【０００６】
本考案は、前記従来の要望に鑑みて考案されたものであり、標準のレンズを搭載したスマートグラスに別途簡単に装着でき、装着した別のレンズにより、例えば広範囲の画像が、または望遠などの画像あるいは接写画像が取得できるスマートグラス用レンズ切り替え装置を提供することを目的とするものである。
【０００７】
なお、ユーザが装着して用いる一般的なスマートグラスとしては、いわゆる頭部装着式スマートグラスがある。そして、このスマートグラスには、外光を透過させずに情報のみをユーザに視認させる非透過型のＨＭＤと、外光を透過させつつ、情報を重畳表示する透過型のＨＭＤと、に大別されている。
【０００８】
上記のように分類されるＨＭＤのうち、特に透過型のＨＭＤは、ユーザの視界を損なわないという利点を活かすべく、作業支援用の表示システムに用いられる場合があり、この場合、ユーザによる作業を妨げることなく、その作業を支援するための情報をユーザに視認させることができるものとなる。
【課題を解決するための手段】
【０００９】
本考案は、
スマートグラスレンズ部を挟み込む第１本体取付体と第２本体取付体とを有し、
前記第１本体取付体には、搭載レンズが前記スマートグラスに標準装備されてなる標準レンズ取り付け位置に重ね合わせ可能にして取り付けられ、
前記標準レンズ使用時には、前記搭載レンズは退避可能とされ、前記搭載レンズ使用時には標準レンズの取り付け位置に重ねて配置でき、前記搭載レンズの仕様でレンズ使用する、
ことを特徴とし、
または、
前記搭載レンズは、広角レンズ、魚眼レンズ、接写レンズである、
ことを特徴とするものである。
【考案の効果】
【００１０】
本考案によるスマートグラス用レンズ切り替え装置によれば、標準のレンズを搭載したスマートグラスに別途簡単に装着でき、装着した別のレンズにより、例えば広範囲の画像が、または望遠などの画像が確実、迅速に取得できるなど優れた効果を奏する。
【図面の簡単な説明】
【００１１】
【図１】本考案によるスマートグラス用レンズ切り替え装置の構成説明図（１）である。
【図２】本考案によるスマートグラス用レンズ切り替え装置の構成説明図（２）である。
【図３】本考案によるスマートグラス用レンズ切り替え装置の構成説明図（３）である。
【図４】本考案によるスマートグラス用レンズ切り替え装置の構成説明図（４）である。
【図５】本考案によるスマートグラス用レンズ切り替え装置の使用状態を説明する説明図である。
【考案を実施するための最良の形態】
【００１２】
以下、本考案の最良の実施形態を図に基づいて説明する。
図１は、本考案によるスマートグラス用レンズ切り替え装置１の平面図である。
【００１３】
スマートグラス用レンズ切り替え装置１は、スマートグラス本体２を挟み込んでスマートグラスに取り付けられるものとされており、第１本体取付体３と第２本体取付体４を有している。
【００１４】
ここで、第１本体取付体３と第２本体取付体４は、各々所定の厚みのある略長方形状をなして構成されており、その各々の長手方向の端面を当接させることにより略正方形状の形状になるように構成されている。
【００１５】
また、図から理解されるように対向する各々の当接端面には半円状の切り欠き部５が設けられており、第１本体取付体３と第２本体取付体４の各々の当接端面を当接したとき、中央には円状の空間ができるよう構成されている。そして該空間にスマートグラス本体２が挟み込まれてスマートグラスに取り付けられるよう構成されている。
【００１６】
したがって第１本体取付体３と第２本体取付体４とを一体化すべくボルト状の連結具６を締結することにより第１本体取付体３と第２本体取付体４とを一体化できるように構成されている。この連結具６で第１本体取付体３と第２本体取付体４とが一体化されてレンズ切り替え装置本体が構成されるものとなる。
【００１７】
次に、符号７は第３本体取付体であり、該第３本体取付体７は前記第１本体取付体３の切り欠き部５が設けられていない端面に第１本体取付体３と略直交する方向に向かって延出するよう取り付けられている。そして、この第３本体取付体７には、スマートグラスに標準装備されている光学レンズとは別のレンズ、すなわち、魚眼レンズ、あるいは広角レンズなどの搭載レンズ８が取り付けられている。
【００１８】
次に符号９はストッパ当て部材を示す。図２から理解されるように、ストッパ当て部材９は、前記第１本体取付体３と第２本体取付体４で構成されたレンズ切り替え装置本体の一側面側に位置するようにしてスマートグラス本体２に固着して取り付けられる。
【００１９】
第１本体取付体３と第２本体取付体４で構成されたレンズ切り替え装置本体及びレンズ切り替え装置本体に取り付けられた搭載レンズ８は略円柱状をなすスマートグラス本体におけるレンズ取り付け箇所の外周面を回転できるよう構成されているが、ストッパ当て部材９は、前記したように一旦スマートグラス本体２に取り付けられた後は回転しないように構成されている。
【００２０】
すなわち、ストッパ当て部材９に接する第１本体取付体３と第２本体取付体４で構成されたレンズ切り替え装置本体の側面からはストッパ１０が突設されており、該ストッパ１０はレンズ切り替え装置本体及び搭載レンズ８を水平向から上下鉛直方向に約９０度回転したとき、それ以上回転しないようストッパ当て部材９によって回転規制されるものとされている（図４参照）。
【００２１】
なお、図４において、ストッパ１０はレンズ切り替え装置本体の側面上部か下部のいずれか一方に突設される。下部に設けられた場合には、搭載レンズ８は図１に破線で示すように下側に回転して規制される。また上部に突設された場合には搭載レンズ８は図１に破線で示すように左上側に回転して規制される。
【符号の説明】
【００２２】
１    スマートグラス用レンズ切り替え装置
２    スマートグラス本体
３    第１本体取付体
４    第２本体取付体
５    切り欠き部
６    連結具
７    第３本体取付体
８    搭載レンズ
９    ストッパ当て部材
１０  ストッパ
【図１】
0003229150.tif 000003
【図２】
0003229150.tif 000004
【図３】
0003229150.tif 000005
【図４】
0003229150.tif 000006
【図５】
0003229150.tif 000007